【手続補正書】
【提出日】平成28年6月30日(2016.6.30)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク上で送信する方法であって、
帯域幅の第１の部分において１または複数の第１のデバイスに送信することと、ここで、前記１または複数の第１のデバイスは第１の能力セットを有する、
前記帯域幅の第２の部分において１または複数の第２のデバイスに同時に送信することと、ここで、前記１または複数の第２のデバイスは第２の能力セットを有する、
を備え、
ここにおいて、前記送信は、前記第２の能力セットを有するデバイスが、前記第２の能力セットを有するデバイスに関する送信パラメータのセットを含むシンボルに関する前記帯域幅内の周波数帯域を位置特定するためのインジケーションを含むプリアンブルを備え、ここにおいて、前記インジケーションは、前記第１の能力セットを有するデバイスが前記送信に譲歩することを可能にする、方法。
【請求項２】
前記インジケーションは、前記プリアンブル内の１つまたは複数の信号フィールド内のデータトーンの虚軸上で搬送されるコードを備える、請求項１に記載の方法。
【請求項３】
前記インジケーションは、前記帯域幅の前記第１の部分において送信される１ビットコードを備える、請求項１に記載の方法。
【請求項４】
前記帯域幅の前記第１の部分はプライマリチャネルを備え、前記帯域幅の前記第２の部分は１つまたは複数のセカンダリチャネルを備える、請求項１に記載の方法。
【請求項５】
前記プリアンブルは、前記帯域幅の前記第１の部分において送信され、前記方法は、
前記１または複数の第２のデバイスに同時に送信するために使用される前記帯域幅の各部分において前記プリアンブルの１つまたは複数の複製を送信することをさらに備え、ここにおいて、前記１つまたは複数の複製の少なくとも一部は前記インジケーションを含む、請求項１に記載の方法。
【請求項６】
前記帯域幅の前記第２の部分において前記１または複数の第２のデバイスに同時に送信することは、前記帯域幅の前記第２の部分において前記１または複数の第２のデバイスに第２のプリアンブルを同時に送信することを備え、前記第２のプリアンブルは、前記第２の能力セットを有する前記１または複数の第２のデバイスに関する前記送信パラメータのセットを含み、ここにおいて、前記送信パラメータは、前記送信の対象となる受信側のインジケーションを含む、請求項１に記載の方法。
【請求項７】
ワイヤレス通信のための装置であって、
帯域幅の第１の部分において１または複数の第１のデバイスに送信することと、ここで、前記１または複数の第１のデバイスは第１の能力セットを有する、
前記帯域幅の第２の部分において１または複数の第２のデバイスに同時に送信することと、ここで、前記１または複数の第２のデバイスは第２の能力セットを有する、
を備える、帯域幅を介して送信するように構成された送信機を備え、
ここにおいて、前記送信は、前記第２の能力セットを有するデバイスが、前記第２の能力セットを有するデバイスに関する送信パラメータのセットを含むシンボルに関する前記帯域幅内の周波数帯域を位置特定するための、インジケーションを含むプリアンブルを備え、ここにおいて、前記インジケーションは、前記第１の能力セットを有するデバイスが前記送信に譲歩することを可能にする、
ワイヤレス通信のための装置。
【請求項８】
前記インジケーションは、前記帯域幅の前記第１の部分において送信される１ビットコードを備える、請求項７に記載の装置。
【請求項９】
前記帯域幅の前記第１の部分はプライマリチャネルを備え、前記パケットの前記帯域幅の前記第２の部分は１つまたは複数のセカンダリチャネルを備える、請求項７に記載の装置。
【請求項１０】
前記プリアンブルは、前記帯域幅の前記第１の部分において送信され、ここにおいて、前記送信機は、
前記１または複数の第２のデバイスに同時に送信するために使用される前記帯域幅の各部分において前記プリアンブルの１つまたは複数の複製を送信するようにさらに構成され、ここにおいて、前記１つまたは複数の複製の少なくとも一部は前記インジケーションを含む、請求項７に記載の装置。
【請求項１１】
前記帯域幅の前記第２の部分において前記１または複数の第２のデバイスに同時に送信することは、前記帯域幅の前記第２の部分において前記１または複数の第２のデバイスに第２のプリアンブルを同時に送信することを備え、前記第２のプリアンブルは、前記第２の能力セットを有する前記１または複数の第２のデバイスに関する前記送信パラメータのセットを含み、ここにおいて、前記送信パラメータは、前記送信の対象となる受信側のインジケーションを含む、請求項７に記載の装置。
【請求項１２】
ワイヤレス通信ネットワーク上で受信する方法であって、
帯域幅の第１の部分においてプリアンブルを受信することと、ここで、前記プリアンブルは、第１の能力セットを有するデバイスと互換性があるフォーマットで送信される、
前記帯域幅の第２の部分内の信号フィールドを位置特定することを、第２の能力セットを有するデバイスに知らせるために十分な情報を、前記プリアンブルが含むかどうかを決定することと、ここにおいて、前記帯域幅の前記第１の部分および前記第２の部分はオーバーラップしない、
前記帯域幅の前記第２の部分において前記信号フィールドを受信することとを備える方法。
【請求項１３】
前記帯域幅の前記第２の部分においてデータを受信することをさらに備える、請求項１２に記載の方法。
【請求項１４】
前記帯域幅の前記第１の部分はプライマリチャネルを備え、前記帯域幅の前記第２の部分は１つまたは複数のセカンダリチャネルを備える、請求項１２に記載の方法。
【請求項１５】
前記情報は、前記プリアンブル内の１つまたは複数の信号フィールド内のデータトーンの虚軸上で搬送される１ビットコードを備える、請求項１２に記載の方法。
【請求項１６】
前記プリアンブル内の前記情報は、前記第１の能力セットを有するデバイスが前記送信に譲歩することを可能にする、請求項１２に記載の方法。
【請求項１７】
ワイヤレス通信のための装置であって、
帯域幅の第１の部分においてプリアンブルを受信するように構成された受信機と、ここで、前記プリアンブルは、第１の能力セットを有するデバイスと互換性があるフォーマットで送信される、
前記帯域幅の第２の部分内の信号フィールドを位置特定することを第２の能力セットを有するデバイスに知らせる情報を前記プリアンブルが含むかどうかを決定するように構成されたプロセッサと、ここにおいて、前記帯域幅の前記第１の部分および前記第２の部分はオーバーラップせず、前記受信機は、前記帯域幅の前記第２の部分において前記信号フィールドを受信するようにさらに構成される、
を備える、装置。
【請求項１８】
前記帯域幅の前記第２の部分においてデータを受信することをさらに備える、請求項１７に記載の装置。
【請求項１９】
前記帯域幅の前記第１の部分はプライマリチャネルを備え、前記帯域幅の前記第２の部分は１つまたは複数のセカンダリチャネルを備える、請求項１７に記載の装置。
【請求項２０】
前記情報は、前記プリアンブル内の１つまたは複数の信号フィールド内のデータトーンの虚軸上で搬送される１ビットコードを備える、請求項１７に記載の装置。
【請求項２１】
前記プリアンブル内の前記情報は、前記第１の能力セットを有するデバイスが前記送信に譲歩することを可能にする、請求項１７に記載の装置。